(57)【要約】      （修正有）【課題】虫に触れることなく、虫を潰すことなく簡単に捕獲・放出でき、軽量、コンパクトで低コストな虫取り器を提供する。【解決手段】両側端面が開口された本体２と前記本体２の上端部の内部から挿入する蓋状操作部と前記蓋状操作部３に装着したフレキシブルシート４と前記本体底板の開口まで前記フレキシブルシート４を誘導するためのガイド材を備え、前記蓋状操作部３を下に押し下げることによって連動して、前記フレキシブルシート４が前記ガイド材に沿って前記本体底板の開口まで湾曲して押し下げられ、前記本体底板の開口で捕集した虫を前記フレキシブルシート４が前記本体底板の開口を内部から覆って閉口するような形で作動して、前記本体の格納場所９に虫をワンタッチで捕獲し、蓋状操作部３を上に上げることによって前記フレキシブルシート４が前記本体底板の開口を開口することが出来て虫をワンタッチで放出処分できることを特徴とする虫取り器１。【選択図】図１
2020031626.tif 000002
【特許請求の範囲】
【請求項１】
内部に捕獲した虫の収容スペースが形成されたケースと、ケースの底板に形成された虫捕獲用の開口と、少なくとも一部がケース内に起立した姿勢で昇降自在に収容されたフレキシブルシートと、
フレキシブルシートをケースの外部から昇降させるため、フレキシブルシートの上部に接続された操作部と、
操作部を操作してフレキシブルシートが下降されたとき、フレキシブルシートの下部によって開口を覆うように、下降するフレキシブルシートの下部を水平方向に転向させるガイドとを備えた、ことを特徴とする虫取り器。
【請求項２】
下降され水平方向に転向されたフレキシブルシートの下部が開口を覆うとき、フレキシブルシートの下部の先端面と対向する開口の縁面、または、四方の縁面が上端より下端が突出するようにスロープ状に傾斜されている、ことを特徴とする請求項１に記載の虫取り器。
【請求項３】
フレキシブルシートの下部が下降し、ケースの底の直角部で水平方向に転向させるよう角に湾曲型の勾配を形成したガイドと、フレキシブルシートを挟んでケースの対向する内面に、ケースの底板から隙間を隔てて取り付けられた凸状部材のガイドからなり、
フレキシブルシートの下部がケースの底の直角部で湾曲型のガイドに沿って下降し、凸状部材とケースの底板の開口以外の部分との間に、水平方向にガイド通路が案内するとなっている、ことを特徴とする請求項１から２の何れか１項に記載の虫取り器。
【請求項４】
フレキシブルシートの下部の先端面が、上端より下端が引き込まれるように逆スロープ状に傾斜されている、または、先端面が流線型状の形に形成した、ことを特徴とする請求項１〜３の何れか１に記載の虫取り器。
【請求項５】
ケースの外側面に、筒状のアダプターを外側面に沿って昇降を自在に装着した、ことを特徴とする請求項１から４の何れか１項に記載の虫取り器。
【発明の詳細な説明】
【技術分野】
【０００１】
本発明は虫が嫌いな方でも手で触れることなく使用できる虫取り器に関する。
【背景技術】
【０００２】
住居で出現する虫は予め粘着性の固定捕獲装置を設置して捕獲することが出来るが、どことなく移動する虫の性質上、突然出た時には殺虫剤を使い、又、ティッシュペーパー等で捕獲し、処分することが一般的に行われている。
【０００３】
粘着性の固定捕獲装置は、虫をわざわざ探す必要もなく、気がつかないうちに虫を捕獲することができ、又、別の場所に虫が突然出た場合でも殺虫剤を使用すれば簡単に処分し対応することができる。
【０００４】
しかしながら、虫は固定捕獲装置とは別の予期しない場所に出る場合があり、ティッシュペーパー等々で捕獲して可哀想だからそのまま逃がそうとしても誤って潰したり、逃げられたりすることがあったりと、簡単に捕獲出来ない場合がある。又、虫が嫌いな方にはそれがストレスになったり、殺虫剤をむやみに使うと、人体やペットにも害を及ぼす恐れがある。
【先行技術文献】
【特許文献】
【０００５】
本発明に近い技術として、特開２００８-０２２８３８号公報に開示されたものがある。この従来の捕獲器は、図４に示すごとく、容器を虫にかぶせ、底部をスライドさせて閉じることにより、虫を殺傷することなく捕獲し、底部をスライドさせて開くことにより、虫を無傷で解放することを目的とする容器というように形成された虫の捕獲器であるが、虫の捕獲時に容器とスライドさせる底部の２つの部品を持って捕獲作業をすることは難がある。容器を虫の上から被せて、その状態を保持したまま、底部をスライドさせて虫を捕獲することは、使いなれていない方は簡単にはいかない場合があるし、特にご年配の方が２つの部品を持ち運んで虫の捕獲に使いこなすのは容易ではない。さらに、虫を捕獲するには容器を虫に被せて、底部を差し込むという２段階の動作をするので捕獲を瞬時にすることは出来ないし、しかもこの動作は両手を使わなくてはならないので非常に不便である。
ついで、虫を容器に捕獲してからは支持部位に底部を載せるという簡単な容器の構造だけに、虫を入れた容器をしかるべきところへ持って運ぶ際、運ぶことによる振動や虫が容器から逃げようと激しく動くような動作によっては、容器の支持部位から底部が簡単に外れてしまうような構造であるため、せっかく虫の捕獲をしても取扱いによっては逃がしてしまうケースも考えられる。
【０００６】
本発明は、このように虫が急に出た際の対応の現状とまた従来の不具合に鑑みて開発されたものであり、突然虫が出ても、虫が嫌いな方でも手に触れることや潰すことなく片手でワンタッチで簡単に捕獲することが出来るように持ち運びが便利で軽量な捕獲装置であり、虫を瞬時に捕獲することが出来ること、そして、虫を捕獲した後、虫を格納場所から簡単に外に逃がさないでワンタッチで放出処分することも出来る虫取り器であり、さらに、虫にさほど近寄らなくても捕獲することが可能である虫取り器を提供せんとするものである。
【発明の概要】
【課題を解決するための手段】
【０００７】
操作部が蓋状操作部（操作部に相当する）である虫取り器は、両側端面が開口された本体（ケースに相当する）と前記本体の上端部内部から挿入する前記蓋状操作部に接続されるフレキシブルシートと前記フレキシブルシートを前記本体底板の開口まで誘導するためのガイドを備え、前記蓋状操作部を前記本体の上から下に押し下げることにより、前記フレキシブルシートが前記ガイドに沿って
起立した前記フレキシブルシートの下部がを水平方向へと転向して案内し、前記本体底板の開口で捕集した虫を前記フレキシブルシートが前記本体底板の開口を内部から覆って閉口するような形で作動して、前記本体の格納場所に虫をワンタッチで捕獲し、さらに、前記蓋状操作部を前記本体の上へと押し上げることにより、前記フレキシブルシートが前記本体底板の開口を開口することが出来て虫をワンタッチで放出処分もできるように構成されていることを特徴とする虫取り器である。（図１参照）
【０００８】
さらに、操作部がピストン状操作部（操作部に相当する）である虫取り器は、虫を捕集する開口付きの本体（ケースに相当する）と前記本体の上端部に取り付けられた筒状のシリンダーと、
前記本体と前記シリンダーに収容されたピストンと、前記ピストンの下端部に接続するフレキシブルシートと前記ピストンを取り付ける為のキャプ材と前記フレキシブルシートを前記本体底板の開口まで誘導するためのガイドを備え、
前記ピストン状操作部を前記本体の上から下に押し下げることにより、前記フレキシブルシートが前記ガイドに沿って、
起立したフレキシブルシートの下部を水平方向へと転向して案内し、前記本体底板の開口で捕集した虫を前記フレキシブルシートが前記本体底板の開口を内部から覆って閉口するような形で作動して、前記本体の格納場所に虫をワンタッチで捕獲し、さらに、前記ピストン状操作部を前記本体の上へと押し上げることにより、前記フレキシブルシートが前記本体底板の開口を開口することが出来て虫をワンタッチで放出処分もできるように構成されていることを特徴とする虫取り器である。（図４参照）
【発明の効果】
【０００９】
本発明は新規且つ有用な虫取り器でありながら構造が簡単であるため、製造コストが安価であり、虫を物理的に効率良く捕獲するのに適している。各家庭の各部屋に設置しておけば、虫が急に出た場合でも逃がさずに生きたまま捕獲して室外へと放出したり、虫嫌いな方でも手に触れることなく、潰すことなく片手でワンタッチで簡単に捕獲し、放出処分することが出来る虫取り器である。尚、殺虫することなくそのまま室外へと放出する実施を幾度か施行していて感じたことは、子供が小さい時から虫の捕獲、放出ということを気軽に体験していただいて生命の大切さということを何か少しでも得ることができればということを切に感じた次第であります。
【発明を実施するための形態】
【００１０】
次に図面を参照して操作部が蓋状操作部（操作部に相当する）である虫取り器と、操作部がピストン状操作部（操作部に相当する）である虫取り器、及び操作部がピストン状操作部の変形形態（操作部に相当する）の虫取り器の本発明の好ましい実施の形態を説明するが、どの操作部がついた虫取り器も請求項１〜請求項５は構造的にともに共通点があるため、好ましい実施の形態に係る説明で構造の共通部分で重複する説明は省くものとする。
また、図形の説明に整い図２のａの断面図の左側を前面側、右側を背面側、その間の面を側面側と表現する。
【００１１】
図１は、本発明の好ましい実施の形態に係る虫取り器についての断面図である。図面を参照して詳細を具体的に説明する。操作部が蓋状操作部（操作部に相当する）である虫取り器は図１において全体として参照符号１で示される。本発明の好ましい実施の形態に係る虫取り器は、上下両端面が開口された本体２（ケースに相当する）を有してしている。
【００１２】
本体２は図１のｃが示すように上端部の開口の先端は切りっぱなし状の形状等で形成し、本体底板の開口６は口型に縁面を残して形成し、フレキシブルシート４の下部が下降し、本体２の本体直角部１１で、勾配をつけた湾曲型のガイドにより水平方向に転向させるように、角ガイド１１ａ（ガイドに相当する）を形成する。（図２のａの背面側参照）もしくは、別の形式、三角形ガイド材１１ｂ（ガイドに相当する）を本体直角部１１に設けて形成してもよい。（図１のｄ参照）
【００１３】
フレキシブルシートを挟んで本体２の対向する内面に、本体２の底板から隙間を隔てて取り付けられた左右両内面側の凸状部材のガイドとしてプレートガイド５（ガイドに相当する）を設置することによってプレート横溝５ａを形成し、
フレキシブルシート４の下部が下降するときにプレート横溝５ａから角ガイド１１ａ、または、三角形ガイド材１１ｂを設置した場合は三角形ガイド材１１ｂに沿って開口６へと湾曲して下降し、プレートガイド５と本体２の底板の開口６以外の部分との間に、水平方向にガイド通路が案内するように設置するのが好ましい。（図２のａ参照）
【００１４】
フレキシブルシート４の下部のシート先端面４ａと対向する開口６の縁面の開口切り口７ａは、薄い材質で形成しているが、上端より下端が突出するようにスロープ状に傾斜をつけて形成し、（図２のａ参照）または、フレキシブルシート４が開口６でより潤滑に、虫の捕獲をしやすくするために開口切り口７ａの四方の縁面も上端より下端が突出するようにスロープ状に傾斜をつけた形状にしても良い。（図２のｄの開口切り口の拡大イメージ図の写真を参照）
【００１５】
さらに蓋状操作部３が本体２から下に押し下げる際に蓋状操作部３が必要以上に本体２から下降しないように、プレートガイド５のプレート５ｂが蓋状操作部３のストッパーとしても兼ねるような形式として設置しても良い。また、蓋状操作部３を本体２の内部へと挿入する際にはフレキシブルシート４がスムースに挿入しやすいようなプレートガイド５の形状とし、さらに蓋状操作部３は本体２の前面側や背面側の前後どちらからでも挿入することが出来るように前後とも同じ形で形成しても良い。
【００１６】
蓋状操作部３については、下端面の開口の先端は切りっぱなし状の形状等で開口し、上端面は箱の蓋のような形で形成する。（図１のｂ参照）そして、蓋状操作部３の背面側の内面、もしくは外面にはフレキシブルシート４を装着し、蓋状操作部３は本体２において上下の作動をしやすくするために蓋状操作部３の上部にグリップ１０のくぼみを設け掴み易くしても良い。さらに、虫の捕獲や放出の際には本体２から蓋状操作部３を上下へと作動をさせるため、蓋状操作部３自体が本体２から外側へと簡単に外れないように蓋状操作部３の前面側とフレキシブルシート４の背面側にストッパー溝８ｂとして溝を設け、本体２の内側上部、前面側と背面側にはストッパーツメ８ａを設けてストッパーとして形成する。ついで蓋状操作部３を上下に作動して本体２から下に押し下げる際に必要以上に蓋状操作部３が本体２から下がり過ぎないように、プレート５ｂがストッパーとして設置してあるが、ストッパー溝８ｂの上端部の溝がストッパーツメ８によって下に行き過ぎないようプレート５ｂのストッパーと兼ねてストッパーを設置してもさらに良いし、本体２と蓋状操作部３には凸凹状やくぼみのストッパー等々を形成したり、別の形式や方式でストッパーを設けて形成してもよい。
【００１７】
フレキシブルシート４においては、図２においてシート先端面４ａは薄い材質で形成しているが開口６に接する際の可動性を高くする為と凸凹した床やカーペット等々でもスムースに作動するようにシート先端面４ａが、上端より下端が引き込まれるように逆スロープ状に傾斜して設けるのが好ましい。もしくは、先端面が流線型状の形（図２のｂ参照）に形成して設けても良い。また、先端面に斜め上へと傾斜を付けた場合でも、もともと薄い材質で形成している為、虫の捕獲の際の機能性には特に大きな支障はない。
【００１８】
フレキシブルシート４のシート左右両端４ｂ（図２のｃ参照）の長さについては虫が格納場所９以外に逃げ出さないように本体２との間は数ミリの隙間となるような長さとする。
【００１９】
フレキシブルシート４の素材としては、本体直角部１１で湾曲して開口６まで下降して、開閉をする性質上、比較的柔らかい素材である合成樹脂製のポリプロピレン類その他を使用することが好ましい。
【００２０】
操作部が蓋状操作部３の本発明で虫の捕獲をするには本体２に挿入した蓋状操作部３を持って虫の上から被せるようにして開口６で捕集をし、そのまま蓋状操作部３を下に押し下げるとフレキシブルシート４の下部がプレート横溝５ａから角ガイド１１ａ、または、三角形ガイド材１１ｂを設置した場合は三角形ガイド材１１ｂに沿って開口６へと湾曲して下降し、プレートガイド５と本体２の底板７の開口６以外の部分との間に、水平方向にガイド通路により開口６を覆うように閉口し、本体２の格納場所９に虫をワンタッチで捕獲完了となるが、本体２の材質は中が透けているような合成樹脂製にすることによって捕獲状態を確認することが出来る。さらに、蓋状操作部３を本体２から上に上げるとフレキシブルシート４も上に上がって本体２の格納場所９の開口６が開くので、虫を生きたまま室外へと放出が出来る構成となるが、捕獲した虫に、殺虫剤を使う場合の為に本体２の前面側、背面側、または、左右両側面側に小さな穴の殺虫剤注入口１２を設置するようにしても良い。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
例えばフレキシブルシート４が開口６まで押し下がるために本体２の左右両内面側にガイドとしてプレートガイド５を設置するが、プレートガイド５という形状でなくても円形の形状やその他別の形状や形式で設ける構成であっても良い。さらに、ガイドによってフレキシブルシート４がよりスムースに湾曲して作動するように円形で回転する回転式ガイド材５ｃ（図３のａ参照）という形式にし、本体２の前面側と背面側の両方に設置しても良いし、蓋状操作部３を挿入する側が背面側からのみとする場合には、背面側のみに回転式ガイド材５ｃやその他の形状のガイドを設置しても良い。（図３のｂ参照）
【００２３】
プレートガイド５が円形の形状や回転式ガイド材５ｃという別の形状、形式にして設置した場合、プレート５ｂのストッパーは形成しない構成となるがストッパー溝８ｂの溝とストッパーツメ８によって下に下げる際のストッパーとしても機能することになるため、このように別の形状、形式へとガイドを変形して設置しても支障はない。さらに、蓋状操作部３を本体２に挿入する際にフレキシブルシートを背面側からのみで挿入する場合はストッパー溝８ｂの溝とストッパーツメ８は背面側のみの形成としても良い。（図３のｂ参照）
【００２４】
フレキシブルシート４は本体直角部１１に沿って湾曲して開口６を開閉する為、虫を正確に捕獲出来るようシート先端面４ａには滑りやすい素材や別の形状に種々の形に変更することも出来る。
【００２５】
何れの部品もプラスチック製(ポリプロピレン等)で構成することが可能であるが、部品の場所によってはその他の材質で構成することも可能である。このように本発明の実施の形態は実施例のものに限定されるものではなく、様々なバリエーションが考えられ、特許請求の範囲に記載された発明の範囲内で、種々の変更が可能である。
【００２６】
次に図４で示した図は、操作部がピストン状操作部（操作部に相当する）の虫取り器についての断面図である。図４において全体として参照符号１３で示される本発明の好ましい実施の形態に係る虫取り器は、本体底板が口型に縁面を残して開口された本体（ケースに相当する）を有している。
【００２７】
本願の操作部がピストン状操作部の虫取り器は、虫を捕集する本体底板開口付きの本体と前記本体の上端部に取り付けられた筒状のシリンダーと、前記本体と前記シリンダーに収容されたピストン状操作部と、前記ピストン状操作部の下端部に接続するフレキシブルシートと前記ピストン状操作部を取り付ける為のキャプ材と前記フレキシブルシートを本体底板の開口まで誘導するためのガイドを備え、前記ピストン状操作部を下に押し下げることにより、起立した前記フレキシブルシートの下部が前記ガイドに沿って水平方向へと転向して案内し、前記本体底板の開口で捕集した虫を前記フレキシブルシートが前記本体底板の開口を内部から覆って閉口するような形で作動して、前記本体の格納場所に虫をワンタッチで捕獲し、さらに、前記ピストン状操作部を前記本体の上へと押し上げることにより、前記フレキシブルシートが前記本体底板の開口を開口することが出来て虫をワンタッチで放出処分もできるように構成されていることを特徴とする虫取り器である。
【００２８】
図面を参照して具体的に説明する。本体１４は図４のａが示すように、上端部に取り付けられた筒状のシリンダー１５と、本体１４とシリンダー１５に収容されたピストン状操作部１６と、ピストン状操作部１６に接続するフレキシブルシート１８と、本体直角部２１から開口１９まで誘導するためのガイドとしてプレートガイド２２と角ガイド２１ａ、もしくは三角形ガイド材２１ｂを備え（図４のｂ参照）、ピストン状操作部１６を下に押し下げることにより、フレキシブルシート１８がプレート横溝２２ａから角ガイド２１ａ、または、三角形ガイド材２１ｂを設置した場合は三角形ガイド材２１ｂに沿って開口１９へと湾曲して下降し、プレートガイド２２と本体の底板２０の開口１９以外の部分との間に、水平方向にガイド通路により開口１９を覆うように閉口し、本体１４の格納場所２３に虫をワンタッチで捕獲完了となり、さらに、ピストン状操作部１６を上に上げることによってフレキシブルシート１８が開口１９を開口して放出処分ができるように構成されていることを特徴とする虫取り器である。
【００２９】
操作部がピストン状操作部の虫取り器は、操作部が蓋状操作部３の虫取り器と同一の構成を有しているところがある。本体底板の開口１９は口型に縁面を残して形成すること、そして、開口切り口２０ａとフレキシブルシート１８のシート左右両端１８ｂの長さやシート先端面１８ａの形状、ガイドとしてプレートガイド２２と角ガイド２１ａ、もしくは三角形ガイド材２１ｂの設置というところが操作部が蓋状操作部３の虫取り器と同一の構成を有している。そして、プレート２２での設置を円形の形状やその他別の形状で変形して設けたり、回転するを回転式ガイド材２２ｃという形式にして設置することも操作部が蓋状操作部３の虫取り器と同一の構成を有している。
【００３０】
操作部が蓋状操作部３の虫取り器と構成の異なることとしては、蓋状操作部３の虫取り器は本体２へと挿入する蓋状操作部３を上下に作動することによりフレキシブルシート４も連動して上下に作動するが、操作部がピストン状操作部１６の虫取り器においては、ピストン状操作部１６を上下に作動することによりフレキシブルシート１８が連動して上下に作動するという操作をする形状が異なる。さらに、蓋状操作部３の虫取り器では、本体２から蓋状操作部３を外側へと取り外すことが可能となる構造であるが、ピストン状操作部１６の虫取り器は、ピストン状操作部１６を本体１４とシリンダー１５に収容し設置しているために、本体１４の上部はフレキシブルシート１８の部品等々が消耗した際の部品交換や容器の洗浄等々がなければ基本的に取り外しをしなくても良い構成となっている。そのためにプレート２２での設置を円形の形状やその他別の形状で変形して設けたり、回転するを回転式ガイド材２２ｃという形式にして設置する際は、フレキシブルシート１８が作動する背面側だけの設置にしても良いし、また、ピストン状操作部１６の上下の作動によってフレキシブルシート１８も上下へと作動するが、その際のストッパーとしては上部キャップ部材１６ａと上部シートホルダー１７ａによってピストン状操作部１６が上下へ作動する際のストッパーとしても制御するので、あえてストッパー２２ｂという形式やストッパー溝とストッパーツメを設置する必要はない。また、捕獲した虫に、殺虫剤を使う場合の為に本体１４に小さな穴の殺虫剤注入口２４を設けるが、フレキシブルシート１８が挿入されている背面側にはこの殺虫剤注入口２４は不要である。このような点を除いた以外は、操作部がピストン状操作部１６の虫取り器は、開口での実質的な虫の捕獲方法は蓋状操作部３の虫取り器と同一の構成を有している。
【００３１】
操作部がピストン状操作部１６の虫取り器で好ましい実施の形態に係る詳細について前述の操作部が蓋状操作部３の構成を有している形態を省いて実施を説明する。
【００３２】
本体１４の上端部に筒状のシリンダー１５を取り付けて設置し、本体１４とシリンダー１５に収容するピストン状操作部１６の上端部には上部キャップ部材１６ａを装着し、ピストン状操作部１６の上端部とは反対側の端部に接続するフレキシブルシート１８は下部シートホルダー１７ｂで蓋を閉めて挟むような形で上部シートホルダー１７ａに取り付ける。また、下部シートホルダー１７ｂは、ねじ込み式等にしてフレキシブルシート１８の先端面がもしも消耗した際の為に交換可能なものとして構成してもよい。
【００３３】
フレキシブルシート１８ｂの左右の幅の長さについては、蓋状操作部３と同様の構造となるが、開口１９に作動するシート先端面１８ａとは反対側のシート端面１８ｃの長さについては、フレキシブルシート１８のシート左右両端１８ｂと同じ長さにしても作動自体には大きな支障はないが、フレキシブルシート１８ａとシート端面１８ｃの前後の作動がバランスを保って作動するように、又、虫が少しでも格納場所２３以外に逃げ出さないようにする為に少し長めの長さとして設けるのが好ましい。正し、長めにする場合は殺虫剤注入口２４を妨げないようなシート端面１８ｃを妨げないような場所に設置するか、殺虫剤注入口２４を左右両内面側に設置するようにしても良い。
【００３４】
次に図５で示した図は、操作部がピストン状操作部１６の虫取り器１３の変形形態を示した図である。本変形形態についても前述の操作部がピストン状操作部１６（操作部に相当する）の虫取り器と同一の構成を有している形態を省いて実施を説明する。本体２６（ケースに相当する）に取り付けられたシリンダー２７をピストン状操作部２８を収められるように長く設置して、本体２６とシリンダー２７に収容されたピストン状操作部２８を本体２６とシリンダー２７の内部に全て収めて操作するよう設置する。
【００３５】
シリンダー２７には外部からピストン状操作部２８を上下の操作が出来るようにシリンダー２７に立て状の溝穴、スライド用溝穴３７を設けてコック３８を取り付ける。コック３８を上下に移動して虫の捕獲時や放出処分時に作動させるが、更にコック３８がロック出来るようにシリンダー２７に設けた立て状の溝穴、スライド用溝穴３７の上下端の直ぐ横にもスライドしてロックする為の溝穴、スライド上溝穴３７ａとスライド下溝穴３７ｂを上下２ヵ所設ける。（図５のａ参照）
【００３６】
ピストン状操作部２８上部とは反対側の端部に接続するフレキシブルシート３０は下部シートホルダー２９ｂで蓋を閉めて挟むような形で上部シートホルダー２９ａに取り付けて、ピストン状操作部２８と下部キャップ部材２８ｂは接続しているが、コック３８が回転してロックをすることが出来るようにピストン状操作部２８と下部キャップ部材２８ｂは上部シートホルダー２９ａと分離して回転可能な取り付けとする。
【００３７】
コック３８を下に下げるとピストン状操作部２８と連動して、フレキシブルシート３０の下部が本体２６の底板の開口３３まで、プレートガイド３１と角ガイド３２ａのガイドに沿って湾曲して押し下げられ、本体２６の底板の開口３３で捕集した虫をフレキシブルシート３０が開口３３を覆うように閉口して、本体２６の格納場所３５に虫をワンタッチで捕獲し、コック３８をロックすることで捕獲完了となり、コック３８のロックを外して上に上げればフレキシブルシート３０が上に上がり、本体２６の格納場所３５の開口３３が開くので、虫を生きたまま室外へと放出可能。さらに、殺虫剤を使う場合の為に本体２６に殺虫剤注入口３６を設けるが、フレキシブルシート３０を妨げないような場所に設置するか、または、左右両内面側に設置するようにしても良い。
【００３８】
また、この操作部がピストン状操作部２８の虫取り器１３の変形形態の虫取り器２５はロックをするための溝穴、スライド上溝穴３７ａとスライド下溝穴３７ｂを省略して、コック３８を上下に操作するだけの構成にして設置しても良いし、プレートガイド３１の設置を円形の形状やその他別の形状で変形して設けたり、回転する回転式ガイド材３１ｃという形式にして設置しても良い。（図５のｂ参照）
【００３９】
次に操作部が蓋状操作部の虫取り器、操作部がピストン状操作部の虫取り器、及び操作部がピストン状操作部の変形形態での虫取り器も厚手のカーペット等々においてでのフレキシブルシートが本体底板の開口での作動をスムースにする為に本体２、１４、２６の開口６、１９、３３を上げ底にするカーペット対応アダプター３９を本体（ケース）の外側面に、取り付け、さらに、カーペットの素材や厚さによってカーペット対応アダプター３９を上下にスライド調整が出来るような形式として取り付けても良い。（図６参照）
【００４０】
操作部の外側や本体の外側には捕集時の虫類から離れて使用出来るように延長棒４０（図７のａ、ｂ、ｃ参照）を接続出来るようにしても良い。ついで、延長棒４０の向きや角度を自由に変えて調整出来るよう回転用の軸４１を設けるようにしても良いし、その握り手にはグリップ式の物を設けたり、収縮式のものを設けたり、本体の向きを自由に調整出来るような別の方式での接続を設けて形成してもよい。
【図面の簡単な説明】
【００４１】
【図１】図１は本発明の操作部が蓋状操作部の虫取り器の実施の形態に関わる断面を斜め上から見た図である。
【図２】図２は蓋状操作部の虫取り器を本体を別角度からの見た図とフレキシブルシート、ガイドの設置イメージの図と開口切り口の拡大イメージ図の写真である。
【図３】図３は蓋状操作部の虫取り器に回転式ガイド材の設置イメージの図である。
【図４】図４は操作部がピストン状操作部の虫取り器の実施の形態に関わる断面図と作動図である。
【図５】図５はピストン状操作部の虫取り器の変形形態を示した断面図と作動図である。
【図６】図６はカーペット対応アダプター使用の具体例である。
【図７】図７は本発明の延長棒を設置した具体例である。
【符号の説明】
【００４２】
１、１３、２５    虫取り器
２、１４、２６    本体
３蓋状操作部
４、１８、３０    フレキシブルシート
４ａ、１８ａ、３０ａ    シート先端面
１８ｃ    シート端面
４ｂ、１８ｂ、３０ｂ    シート左右両端
５、２２、３１    プレートガイド
５ａ、２２ａ、３１ａ    プレート横溝
５ｂ、２２ｂ、３１ｂ    プレート上部
５ｃ、２２ｃ、３１ｃ    回転式ガイド材
６、１９、３３    開口
７、２０、３４    底板
７ａ、２０ａ、３４ａ    開口切り口
８ｂ    ストッパー溝
８ａ    ストッパーツメ
９、２３、３５    格納場所
１０    グリップ
１１、２１、３２    本体直角部
１１ａ、２１ａ、３２ａ    角ガイド
１１ｂ、２１ｂ、３２ｂ    三角形ガイド材
１２、２４、３６    殺虫剤注入口
１５、２７    シリンダー
１６、２８    ピストン状操作部
１６ａ    上部キャップ部材
１６ｂ、２８ｂ    下部キャップ部材
１７ａ、２９ａ    上部シートホルダー
１７ｂ、２９ｂ    下部シートホルダー
３７    スライド用溝穴
３７ａ    スライド上溝穴
３７ｂ    スライド下溝穴
３８    コック
３９    カーペット対応アダプター
４０    延長棒
４１    延長棒回転軸
【図１】
2020031626.tif 000003
【図２】
2020031626.tif 000004
【図３】
2020031626.tif 000005
【図４】
2020031626.tif 000006
【図５】
2020031626.tif 000007
【図６】
2020031626.tif 000008
【図７】
2020031626.tif 000009
【手続補正書】
【提出日】平成31年3月2日(2019.3.2)
【手続補正１】
【補正対象書類名】明細書
【補正対象項目名】全文
【補正方法】変更
【補正の内容】
【発明の詳細な説明】
【技術分野】
【０００１】  本発明は虫が嫌いな方でも手で触れることなく使用できる虫取り器に関する。
【背景技術】
【０００２】  住居で出現する虫は予め粘着性の固定捕獲装置を設置して捕獲することが出来るが、どことなく移動する虫の性質上、突然出た時には殺虫剤を使い、又、ティッシュペーパー等で捕獲し、処分することが一般的に行われている。【０００３】  粘着性の固定捕獲装置は、虫をわざわざ探す必要もなく、気がつかないうちに虫を捕獲することができ、又、別の場所に虫が突然出た場合でも殺虫剤を使用すれば簡単に処分し対応することができる。【０００４】  しかしながら、虫は固定捕獲装置とは別の予期しない場所に出る場合があり、ティッシュペーパー等々で捕獲して可哀想だからそのまま逃がそうとしても誤って潰したり、逃げられたりすることがあったりと、簡単に捕獲出来ない場合がある。又、虫が嫌いな方にはそれがストレスになったり、殺虫剤をむやみに使うと、人体やペットにも害を及ぼす恐れがある。
【先行技術文献】
【特許文献】
【０００５】  本発明に近い技術として、特開２００８-０２２８３８号公報に開示されたものがある。この従来の捕獲器は、図４に示すごとく、容器を虫にかぶせ、底部をスライドさせて閉じることにより、虫を殺傷することなく捕獲し、底部をスライドさせて開くことにより、虫を無傷で解放することを目的とする容器というように形成された虫の捕獲器であるが、虫の捕獲時に容器とスライドさせる底部の２つの部品を持って捕獲作業をすることは難がある。容器を虫の上から被せて、その状態を保持したまま、底部をスライドさせて虫を捕獲することは、使いなれていない方は簡単にはいかない場合があるし、特にご年配の方が２つの部品を持ち運んで虫の捕獲に使いこなすのは容易ではない。さらに、虫を捕獲するには容器を虫に被せて、底部を差し込むという２段階の動作をするので捕獲を瞬時にすることは出来ないし、しかもこの動作は両手を使わなくてはならないので非常に不便である。ついで、虫を容器に捕獲してからは支持部位に底部を載せるという簡単な容器の構造だけに、虫を入れた容器をしかるべきところへ持って運ぶ際、運ぶことによる振動や虫が容器から逃げようと激しく動くような動作によっては、容器の支持部位から底部が簡単に外れてしまうような構造であるため、せっかく虫の捕獲をしても取扱いによっては逃がしてしまうケースも考えられる。
【発明の概要】
【発明が解決しようとする課題】
【０００６】  本発明は、このように虫が急に出た際の対応の現状とまた従来の不具合に鑑みて開発されたものであり、突然虫が出ても、虫が嫌いな方でも手に触れることや潰すことなく片手でワンタッチで簡単に捕獲することが出来るように持ち運びが便利で軽量な捕獲装置であり、虫を瞬時に捕獲することが出来ること、そして、虫を捕獲した後、虫を格納場所から簡単に外に逃がさないでワンタッチで放出処分することも出来る虫取り器であり、さらに、虫にさほど近寄らなくても捕獲することが可能である虫取り器を提供せんとするものである。
【課題を解決するための手段】
【０００７】  操作部が蓋状操作部（操作部に相当する）である虫取り器は、両側端面が開口された本体（ケースに相当する）と前記本体の上端部内部から挿入する前記蓋状操作部に接続されるフレキシブルシートと前記フレキシブルシートを前記本体底板の開口まで誘導するためのガイドを備え、前記蓋状操作部を前記本体の上から下に押し下げることにより、前記フレキシブルシートが前記ガイドに沿って起立した前記フレキシブルシートの下部がを水平方向へと転向して案内し、前記本体底板の開口で捕集した虫を前記フレキシブルシートが前記本体底板の開口を内部から覆って閉口するような形で作動して、前記本体の格納場所に虫をワンタッチで捕獲し、さらに、前記蓋状操作部を前記本体の上へと押し上げることにより、前記フレキシブルシートが前記本体底板の開口を開口することが出来て虫をワンタッチで放出処分もできるように構成されていることを特徴とする虫取り器である。（図１参照）【０００８】  さらに、操作部がピストン状操作部（操作部に相当する）である虫取り器は、虫を捕集する開口付きの本体（ケースに相当する）と前記本体の上端部に取り付けられた筒状のシリンダーと、前記本体と前記シリンダーに収容されたピストンと、前記ピストンの下端部に接続するフレキシブルシートと前記ピストンを取り付ける為のキャプ材と前記フレキシブルシートを前記本体底板の開口まで誘導するためのガイドを備え、前記ピストン状操作部を前記本体の上から下に押し下げることにより、前記フレキシブルシートが前記ガイドに沿って、起立したフレキシブルシートの下部を水平方向へと転向して案内し、前記本体底板の開口で捕集した虫を前記フレキシブルシートが前記本体底板の開口を内部から覆って閉口するような形で作動して、前記本体の格納場所に虫をワンタッチで捕獲し、さらに、前記ピストン状操作部を前記本体の上へと押し上げることにより、前記フレキシブルシートが前記本体底板の開口を開口することが出来て虫をワンタッチで放出処分もできるように構成されていることを特徴とする虫取り器である。（図４参照）
【発明の効果】
【０００９】  本発明は新規且つ有用な虫取り器でありながら構造が簡単であるため、製造コストが安価であり、虫を物理的に効率良く捕獲するのに適している。各家庭の各部屋に設置しておけば、虫が急に出た場合でも逃がさずに生きたまま捕獲して室外へと放出したり、虫嫌いな方でも手に触れることなく、潰すことなく片手でワンタッチで簡単に捕獲し、放出処分することが出来る虫取り器である。尚、殺虫することなくそのまま室外へと放出する実施を幾度か施行していて感じたことは、子供が小さい時から虫の捕獲、放出ということを気軽に体験していただいて生命の大切さということを何か少しでも得ることができればということを切に感じた次第であります。
【発明を実施するための形態】
【００１０】  次に図面を参照して操作部が蓋状操作部（操作部に相当する）である虫取り器と、操作部がピストン状操作部（操作部に相当する）である虫取り器、及び操作部がピストン状操作部の変形形態（操作部に相当する）の虫取り器の本発明の好ましい実施の形態を説明するが、どの操作部がついた虫取り器も請求項１〜請求項５は構造的にともに共通点があるため、好ましい実施の形態に係る説明で構造の共通部分で重複する説明は省くものとする。また、図形の説明に整い図２のａの断面図の左側を前面側、右側を背面側、その間の面を側面側と表現する。
【００１１】図１は、本発明の好ましい実施の形態に係る虫取り器についての断面図である。図面を参照して詳細を具体的に説明する。操作部が蓋状操作部（操作部に相当する）である虫取り器は図１において全体として参照符号１で示される。本発明の好ましい実施の形態に係る虫取り器は、上下両端面が開口された本体２（ケースに相当する）を有してしている。
【００１２】  本体２は図１のｃが示すように上端部の開口の先端は切りっぱなし状の形状等で形成し、本体底板の開口６は口型に縁面を残して形成し、フレキシブルシート４の下部が下降し、本体２の本体直角部１１で、勾配をつけた湾曲型のガイドにより水平方向に転向させるように、角ガイド１１ａ（ガイドに相当する）を形成する。（図２のａの背面側参照）もしくは、別の形式、三角形ガイド材１１ｂ（ガイドに相当する）を本体直角部１１に設けて形成してもよい。（図１のｄ参照）
【００１３】  フレキシブルシートを挟んで本体２の対向する内面に、本体２の底板から隙間を隔てて取り付けられた左右両内面側の凸状部材のガイドとしてプレートガイド５（ガイドに相当する）を設置することによってプレート横溝５ａを形成し、フレキシブルシート４の下部が下降するときにプレート横溝５ａから角ガイド１１ａ、または、三角形ガイド材１１ｂを設置した場合は三角形ガイド材１１ｂに沿って開口６へと湾曲して下降し、プレートガイド５と本体２の底板の開口６以外の部分との間に、水平方向にガイド通路が案内するように設置するのが好ましい。（図２のａ参照）
【００１４】  フレキシブルシート４の下部のシート先端面４ａと対向する開口６の縁面の開口切り口７ａは、薄い材質で形成しているが、上端より下端が突出するようにスロープ状に傾斜をつけて形成し、（図２のａ参照）または、フレキシブルシート４が開口６でより潤滑に、虫の捕獲をしやすくするために開口切り口７ａの四方の縁面も上端より下端が突出するようにスロープ状に傾斜をつけた形状にしても良い。（図２のｄの開口切り口の拡大イメージ図の写真を参照）
【００１５】  さらに蓋状操作部３が本体２から下に押し下げる際に蓋状操作部３が必要以上に本体２から下降しないように、プレートガイド５のプレート５ｂが蓋状操作部３のストッパーとしても兼ねるような形式として設置しても良い。また、蓋状操作部３を本体２の内部へと挿入する際にはフレキシブルシート４がスムースに挿入しやすいようなプレートガイド５の形状とし、さらに蓋状操作部３は本体２の前面側や背面側の前後どちらからでも挿入することが出来るように前後とも同じ形で形成しても良い。
【００１６】  蓋状操作部３については、下端面の開口の先端は切りっぱなし状の形状等で開口し、上端面は箱の蓋のような形で形成する。（図１のｂ参照）そして、蓋状操作部３の背面側の内面、もしくは外面にはフレキシブルシート４を装着し、蓋状操作部３は本体２において上下の作動をしやすくするために蓋状操作部３の上部にグリップ１０のくぼみを設け掴み易くしても良い。さらに、虫の捕獲や放出の際には本体２から蓋状操作部３を上下へと作動をさせるため、蓋状操作部３自体が本体２から外側へと簡単に外れないように蓋状操作部３の前面側とフレキシブルシート４の背面側にストッパー溝８ｂとして溝を設け、本体２の内側上部、前面側と背面側にはストッパーツメ８ａを設けてストッパーとして形成する。ついで蓋状操作部３を上下に作動して本体２から下に押し下げる際に必要以上に蓋状操作部３が本体２から下がり過ぎないように、プレート５ｂがストッパーとして設置してあるが、ストッパー溝８ｂの上端部の溝がストッパーツメ８によって下に行き過ぎないようプレート５ｂのストッパーと兼ねてストッパーを設置してもさらに良いし、本体２と蓋状操作部３には凸凹状やくぼみのストッパー等々を形成したり、別の形式や方式でストッパーを設けて形成してもよい。
【００１７】  フレキシブルシート４においては、図２においてシート先端面４ａは薄い材質で形成しているが開口６に接する際の可動性を高くする為と凸凹した床やカーペット等々でもスムースに作動するようにシート先端面４ａが、上端より下端が引き込まれるように逆スロープ状に傾斜して設けるのが好ましい。もしくは、先端面が流線型状の形（図２のｂ参照）に形成して設けても良い。また、先端面に斜め上へと傾斜を付けた場合でも、もともと薄い材質で形成している為、虫の捕獲の際の機能性には特に大きな支障はない。
【００１８】  フレキシブルシート４のシート左右両端４ｂ（図２のｃ参照）の長さについては虫が格納場所９以外に逃げ出さないように本体２との間は数ミリの隙間となるような長さとする。
【００１９】  フレキシブルシート４の素材としては、本体直角部１１で湾曲して開口６まで下降して、開閉をする性質上、比較的柔らかい素材である合成樹脂製のポリプロピレン類その他を使用することが好ましい。
【００２０】  操作部が蓋状操作部３の本発明で虫の捕獲をするには本体２に挿入した蓋状操作部３を持って虫の上から被せるようにして開口６で捕集をし、そのまま蓋状操作部３を下に押し下げるとフレキシブルシート４の下部がプレート横溝５ａから角ガイド１１ａ、または、三角形ガイド材１１ｂを設置した場合は三角形ガイド材１１ｂに沿って開口６へと湾曲して下降し、プレートガイド５と本体２の底板７の開口６以外の部分との間に、水平方向にガイド通路により開口６を覆うように閉口し、本体２の格納場所９に虫をワンタッチで捕獲完了となるが、本体２の材質は中が透けているような合成樹脂製にすることによって捕獲状態を確認することが出来る。さらに、蓋状操作部３を本体２から上に上げるとフレキシブルシート４も上に上がって本体２の格納場所９の開口６が開くので、虫を生きたまま室外へと放出が出来る構成となるが、捕獲した虫に、殺虫剤を使う場合の為に本体２の前面側、背面側、または、左右両側面側に小さな穴の殺虫剤注入口１２を設置するようにしても良い。
【００２１】  本発明は、以上の発明の実施の形態に限定されることなく、特許請求の範囲に記載された発明の範囲内で、種々の変更が可能であり、それらも本発明の範囲内に包含されるものであることはいうまでもない。
【００２２】  例えばフレキシブルシート４が開口６まで押し下がるために本体２の左右両内面側にガイドとしてプレートガイド５を設置するが、プレートガイド５という形状でなくても円形の形状やその他別の形状や形式で設ける構成であっても良い。さらに、ガイドによってフレキシブルシート４がよりスムースに湾曲して作動するように円形で回転する回転式ガイド材５ｃ（図３のａ参照）という形式にし、本体２の前面側と背面側の両方に設置しても良いし、蓋状操作部３を挿入する側が背面側からのみとする場合には、背面側のみに回転式ガイド材５ｃやその他の形状のガイドを設置しても良い。（図３のｂ参照）
【００２３】  プレートガイド５が円形の形状や回転式ガイド材５ｃという別の形状、形式にして設置した場合、プレート５ｂのストッパーは形成しない構成となるがストッパー溝８ｂの溝とストッパーツメ８によって下に下げる際のストッパーとしても機能することになるため、このように別の形状、形式へとガイドを変形して設置しても支障はない。さらに、蓋状操作部３を本体２に挿入する際にフレキシブルシートを背面側からのみで挿入する場合はストッパー溝８ｂの溝とストッパーツメ８は背面側のみの形成としても良い。（図３のｂ参照）
【００２４】  フレキシブルシート４は本体直角部１１に沿って湾曲して開口６を開閉する為、虫を正確に捕獲出来るようシート先端面４ａには滑りやすい素材や別の形状に種々の形に変更することも出来る。
【００２５】  何れの部品もプラスチック製(ポリプロピレン等)で構成することが可能であるが、部品の場所によってはその他の材質で構成することも可能である。このように本発明の実施の形態は実施例のものに限定されるものではなく、様々なバリエーションが考えられ、特許請求の範囲に記載された発明の範囲内で、種々の変更が可能である。
【００２６】  次に図４で示した図は、操作部がピストン状操作部（操作部に相当する）の虫取り器についての断面図である。図４において全体として参照符号１３で示される本発明の好ましい実施の形態に係る虫取り器は、本体底板が口型に縁面を残して開口された本体（ケースに相当する）を有している。
【００２７】  本願の操作部がピストン状操作部の虫取り器は、虫を捕集する本体底板開口付きの本体と前記本体の上端部に取り付けられた筒状のシリンダーと、前記本体と前記シリンダーに収容されたピストン状操作部と、前記ピストン状操作部の下端部に接続するフレキシブルシートと前記ピストン状操作部を取り付ける為のキャプ材と前記フレキシブルシートを本体底板の開口まで誘導するためのガイドを備え、前記ピストン状操作部を下に押し下げることにより、起立した前記フレキシブルシートの下部が前記ガイドに沿って水平方向へと転向して案内し、前記本体底板の開口で捕集した虫を前記フレキシブルシートが前記本体底板の開口を内部から覆って閉口するような形で作動して、前記本体の格納場所に虫をワンタッチで捕獲し、さらに、前記ピストン状操作部を前記本体の上へと押し上げることにより、前記フレキシブルシートが前記本体底板の開口を開口することが出来て虫をワンタッチで放出処分もできるように構成されていることを特徴とする虫取り器である。
【００２８】  図面を参照して具体的に説明する。本体１４は図４のａが示すように、上端部に取り付けられた筒状のシリンダー１５と、本体１４とシリンダー１５に収容されたピストン状操作部１６と、ピストン状操作部１６に接続するフレキシブルシート１８と、本体直角部２１から開口１９まで誘導するためのガイドとしてプレートガイド２２と角ガイド２１ａ、もしくは三角形ガイド材２１ｂを備え（図４のｂ参照）、ピストン状操作部１６を下に押し下げることにより、フレキシブルシート１８がプレート横溝２２ａから角ガイド２１ａ、または、三角形ガイド材２１ｂを設置した場合は三角形ガイド材２１ｂに沿って開口１９へと湾曲して下降し、プレートガイド２２と本体の底板２０の開口１９以外の部分との間に、水平方向にガイド通路により開口１９を覆うように閉口し、本体１４の格納場所２３に虫をワンタッチで捕獲完了となり、さらに、ピストン状操作部１６を上に上げることによってフレキシブルシート１８が開口１９を開口して放出処分ができるように構成されていることを特徴とする虫取り器である。
【００２９】  操作部がピストン状操作部の虫取り器は、操作部が蓋状操作部３の虫取り器と同一の構成を有しているところがある。本体底板の開口１９は口型に縁面を残して形成すること、そして、開口切り口２０ａとフレキシブルシート１８のシート左右両端１８ｂの長さやシート先端面１８ａの形状、ガイドとしてプレートガイド２２と角ガイド２１ａ、もしくは三角形ガイド材２１ｂの設置というところが操作部が蓋状操作部３の虫取り器と同一の構成を有している。そして、プレート２２での設置を円形の形状やその他別の形状で変形して設けたり、回転するを回転式ガイド材２２ｃという形式にして設置することも操作部が蓋状操作部３の虫取り器と同一の構成を有している。
【００３０】  操作部が蓋状操作部３の虫取り器と構成の異なることとしては、蓋状操作部３の虫取り器は本体２へと挿入する蓋状操作部３を上下に作動することによりフレキシブルシート４も連動して上下に作動するが、操作部がピストン状操作部１６の虫取り器においては、ピストン状操作部１６を上下に作動することによりフレキシブルシート１８が連動して上下に作動するという操作をする形状が異なる。さらに、蓋状操作部３の虫取り器では、本体２から蓋状操作部３を外側へと取り外すことが可能となる構造であるが、ピストン状操作部１６の虫取り器は、ピストン状操作部１６を本体１４とシリンダー１５に収容し設置しているために、本体１４の上部はフレキシブルシート１８の部品等々が消耗した際の部品交換や容器の洗浄等々がなければ基本的に取り外しをしなくても良い構成となっている。そのためにプレート２２での設置を円形の形状やその他別の形状で変形して設けたり、回転するを回転式ガイド材２２ｃという形式にして設置する際は、フレキシブルシート１８が作動する背面側だけの設置にしても良いし、また、ピストン状操作部１６の上下の作動によってフレキシブルシート１８も上下へと作動するが、その際のストッパーとしては上部キャップ部材１６ａと上部シートホルダー１７ａによってピストン状操作部１６が上下へ作動する際のストッパーとしても制御するので、あえてストッパー２２ｂという形式やストッパー溝とストッパーツメを設置する必要はない。また、捕獲した虫に、殺虫剤を使う場合の為に本体１４に小さな穴の殺虫剤注入口２４を設けるが、フレキシブルシート１８が挿入されている背面側にはこの殺虫剤注入口２４は不要である。このような点を除いた以外は、操作部がピストン状操作部１６の虫取り器は、開口での実質的な虫の捕獲方法は蓋状操作部３の虫取り器と同一の構成を有している。
【００３１】  操作部がピストン状操作部１６の虫取り器で好ましい実施の形態に係る詳細について前述の操作部が蓋状操作部３の構成を有している形態を省いて実施を説明する。
【００３２】  本体１４の上端部に筒状のシリンダー１５を取り付けて設置し、本体１４とシリンダー１５に収容するピストン状操作部１６の上端部には上部キャップ部材１６ａを装着し、ピストン状操作部１６の上端部とは反対側の端部に接続するフレキシブルシート１８は下部シートホルダー１７ｂで蓋を閉めて挟むような形で上部シートホルダー１７ａに取り付ける。また、下部シートホルダー１７ｂは、ねじ込み式等にしてフレキシブルシート１８の先端面がもしも消耗した際の為に交換可能なものとして構成してもよい。
【００３３】  フレキシブルシート１８ｂの左右の幅の長さについては、蓋状操作部３と同様の構造となるが、開口１９に作動するシート先端面１８ａとは反対側のシート端面１８ｃの長さについては、フレキシブルシート１８のシート左右両端１８ｂと同じ長さにしても作動自体には大きな支障はないが、フレキシブルシート１８ａとシート端面１８ｃの前後の作動がバランスを保って作動するように、又、虫が少しでも格納場所２３以外に逃げ出さないようにする為に少し長めの長さとして設けるのが好ましい。正し、長めにする場合は殺虫剤注入口２４を妨げないようなシート端面１８ｃを妨げないような場所に設置するか、殺虫剤注入口２４を左右両内面側に設置するようにしても良い。
【００３４】  次に図５で示した図は、操作部がピストン状操作部１６の虫取り器１３の変形形態を示した図である。本変形形態についても前述の操作部がピストン状操作部１６（操作部に相当する）の虫取り器と同一の構成を有している形態を省いて実施を説明する。本体２６（ケースに相当する）に取り付けられたシリンダー２７をピストン状操作部２８を収められるように長く設置して、本体２６とシリンダー２７に収容されたピストン状操作部２８を本体２６とシリンダー２７の内部に全て収めて操作するよう設置する。
【００３５】  シリンダー２７には外部からピストン状操作部２８を上下の操作が出来るようにシリンダー２７に立て状の溝穴、スライド用溝穴３７を設けてコック３８を取り付ける。コック３８を上下に移動して虫の捕獲時や放出処分時に作動させるが、更にコック３８がロック出来るようにシリンダー２７に設けた立て状の溝穴、スライド用溝穴３７の上下端の直ぐ横にもスライドしてロックする為の溝穴、スライド上溝穴３７ａとスライド下溝穴３７ｂを上下２ヵ所設ける。（図５のａ参照）
【００３６】  ピストン状操作部２８上部とは反対側の端部に接続するフレキシブルシート３０は下部シートホルダー２９ｂで蓋を閉めて挟むような形で上部シートホルダー２９ａに取り付けて、ピストン状操作部２８と下部キャップ部材２８ｂは接続しているが、コック３８が回転してロックをすることが出来るようにピストン状操作部２８と下部キャップ部材２８ｂは上部シートホルダー２９ａと分離して回転可能な取り付けとする。
【００３７】  コック３８を下に下げるとピストン状操作部２８と連動して、フレキシブルシート３０の下部が本体２６の底板の開口３３まで、プレートガイド３１と角ガイド３２ａのガイドに沿って湾曲して押し下げられ、本体２６の底板の開口３３で捕集した虫をフレキシブルシート３０が開口３３を覆うように閉口して、本体２６の格納場所３５に虫をワンタッチで捕獲し、コック３８をロックすることで捕獲完了となり、コック３８のロックを外して上に上げればフレキシブルシート３０が上に上がり、本体２６の格納場所３５の開口３３が開くので、虫を生きたまま室外へと放出可能。さらに、殺虫剤を使う場合の為に本体２６に殺虫剤注入口３６を設けるが、フレキシブルシート３０を妨げないような場所に設置するか、または、左右両内面側に設置するようにしても良い。
【００３８】  また、この操作部がピストン状操作部２８の虫取り器１３の変形形態の虫取り器２５はロックをするための溝穴、スライド上溝穴３７ａとスライド下溝穴３７ｂを省略して、コック３８を上下に操作するだけの構成にして設置しても良いし、プレートガイド３１の設置を円形の形状やその他別の形状で変形して設けたり、回転する回転式ガイド材３１ｃという形式にして設置しても良い。（図５のｂ参照）
【００３９】  次に操作部が蓋状操作部の虫取り器、操作部がピストン状操作部の虫取り器、及び操作部がピストン状操作部の変形形態での虫取り器も厚手のカーペット等々においてでのフレキシブルシートが本体底板の開口での作動をスムースにする為に本体２、１４、２６の開口６、１９、３３を上げ底にするカーペット対応アダプター３９を本体（ケース）の外側面に、取り付け、さらに、カーペットの素材や厚さによってカーペット対応アダプター３９を上下にスライド調整が出来るような形式として取り付けても良い。（図６参照）
【００４０】  操作部の外側や本体の外側には捕集時の虫類から離れて使用出来るように延長棒４０（図７のａ、ｂ、ｃ参照）を接続出来るようにしても良い。ついで、延長棒４０の向きや角度を自由に変えて調整出来るよう回転用の軸４１を設けるようにしても良いし、その握り手にはグリップ式の物を設けたり、収縮式のものを設けたり、本体の向きを自由に調整出来るような別の方式での接続を設けて形成してもよい。
【図面の簡単な説明】
【００４１】
【図１】図１は本発明の操作部が蓋状操作部の虫取り器の実施の形態に関わる断面を斜め上から見た図である。
【図２】図２は蓋状操作部の虫取り器を本体を別角度からの見た図とフレキシブルシート、ガイドの設置イメージの図と開口切り口の拡大イメージ図の写真である。
【図３】図３は蓋状操作部の虫取り器に回転式ガイド材の設置イメージの図である。
【図４】図４は操作部がピストン状操作部の虫取り器の実施の形態に関わる断面図と作動図である。
【図５】図５はピストン状操作部の虫取り器の変形形態を示した断面図と作動図である。
【図６】図６はカーペット対応アダプター使用の具体例である。
【図７】図７は本発明の延長棒を設置した具体例である。
【符号の説明】
【００４２】１、１３、２５    虫取り器２、１４、２６    本体３蓋状操作部４、１８、３０    フレキシブルシート４ａ、１８ａ、３０ａ    シート先端面１８ｃ    シート端面４ｂ、１８ｂ、３０ｂ    シート左右両端５、２２、３１    プレートガイド５ａ、２２ａ、３１ａ    プレート横溝５ｂ、２２ｂ、３１ｂ    プレート上部５ｃ、２２ｃ、３１ｃ    回転式ガイド材６、１９、３３    開口７、２０、３４    底板７ａ、２０ａ、３４ａ    開口切り口８ｂ    ストッパー溝８ａ    ストッパーツメ９、２３、３５    格納場所１０    グリップ１１、２１、３２    本体直角部１１ａ、２１ａ、３２ａ    角ガイド１１ｂ、２１ｂ、３２ｂ    三角形ガイド材１２、２４、３６    殺虫剤注入口１５、２７    シリンダー１６、２８    ピストン状操作部１６ａ    上部キャップ部材１６ｂ、２８ｂ    下部キャップ部材１７ａ、２９ａ    上部シートホルダー１７ｂ、２９ｂ    下部シートホルダー３７    スライド用溝穴３７ａ    スライド上溝穴３７ｂ    スライド下溝穴３８    コック３９    カーペット対応アダプター４０    延長棒４１    延長棒回転軸
【手続補正書】
【提出日】平成31年3月6日(2019.3.6)
【手続補正１】
【補正対象書類名】明細書
【補正対象項目名】００１３
【補正方法】変更
【補正の内容】
【００１３】
フレキシブルシートを挟んで本体２の対向する内面に、本体２の底板から隙間を隔てて取り付けられた左右両側面側の凸状部材のガイドとしてプレートガイド５（ガイドに相当する）を設置することによってプレート横溝５ａを形成し、フレキシブルシート４の下部が下降するときにプレート横溝５ａから角ガイド１１ａ、または、三角形ガイド材１１ｂを設置した場合は三角形ガイド材１１ｂに沿って開口６へと湾曲して下降し、プレートガイド５と本体２の底板の開口６以外の部分との間に、水平方向にガイド通路が案内するように設置するのが好ましい。（図２のａ参照）
【手続補正２】
【補正対象書類名】明細書
【補正対象項目名】００２２
【補正方法】変更
【補正の内容】
【００２２】
例えばフレキシブルシート４が開口６まで押し下がるために本体２の左右両側面側にガイドとしてプレートガイド５を設置するが、プレートガイド５という形状でなくても円形の形状やその他別の形状や形式で設ける構成であっても良い。さらに、ガイドによってフレキシブルシート４がよりスムースに湾曲して作動するように円形で回転する回転式ガイド材５ｃ（図３のａ参照）という形式にし、本体２の前面側と背面側の両方に設置しても良いし、蓋状操作部３を挿入する側が背面側からのみとする場合には、背面側のみに回転式ガイド材５ｃやその他の形状のガイドを設置しても良い。（図３のｂ参照）
【手続補正３】
【補正対象書類名】明細書
【補正対象項目名】００３３
【補正方法】変更
【補正の内容】
【００３３】
フレキシブルシート１８ｂの左右の幅の長さについては、蓋状操作部３と同様の構造となるが、開口１９に作動するシート先端面１８ａとは反対側のシート端面１８ｃの長さについては、フレキシブルシート１８のシート左右両端１８ｂと同じ長さにしても作動自体には大きな支障はないが、フレキシブルシート１８ａとシート端面１８ｃの前後の作動がバランスを保って作動するように、又、虫が少しでも格納場所２３以外に逃げ出さないようにする為に少し長めの長さとして設けるのが好ましい。正し、長めにする場合は殺虫剤注入口２４を妨げないようなシート端面１８ｃを妨げないような場所に設置するか、殺虫剤注入口２４を左右両側面側に設置するようにしても良い。
【手続補正４】
【補正対象書類名】明細書
【補正対象項目名】００３７
【補正方法】変更
【補正の内容】
【００３７】
コック３８を下に下げるとピストン状操作部２８と連動して、フレキシブルシート３０の下部が本体２６の底板の開口３３まで、プレートガイド３１と角ガイド３２ａのガイドに沿って湾曲して押し下げられ、本体２６の底板の開口３３で捕集した虫をフレキシブルシート３０が開口３３を覆うように閉口して、本体２６の格納場所３５に虫をワンタッチで捕獲し、コック３８をロックすることで捕獲完了となり、コック３８のロックを外して上に上げればフレキシブルシート３０が上に上がり、本体２６の格納場所３５の開口３３が開くので、虫を生きたまま室外へと放出可能。さらに、殺虫剤を使う場合の為に本体２６に殺虫剤注入口３６を設けるが、フレキシブルシート３０を妨げないような場所に設置するか、または、左右両側面側に設置するようにしても良い。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
内部に捕獲した虫の収容スペースが形成されたケースと、ケースの底板に形成された虫捕獲用の開口と、少なくとも一部がケース内に起立した姿勢で昇降自在に収容されたフレキシブルシートと、フレキシブルシートをケースの外部から昇降させるため、フレキシブルシートの上部に接続された操作部と、操作部を操作してフレキシブルシートが下降されたとき、フレキシブルシートの下部によって開口を覆うように、下降するフレキシブルシートの下部を水平方向に転向させるガイドとを備えた、ことを特徴とする虫取り器。
【請求項２】
下降され水平方向に転向されたフレキシブルシートの下部が開口を覆うとき、フレキシブルシートの下部の先端面と対向する開口の縁面、または、四方の縁面が上端より下端が突出するようにスロープ状に傾斜されている、ことを特徴とする請求項１に記載の虫取り器。
【請求項３】
フレキシブルシートの下部が下降し、ケースの底の直角部で水平方向に転向させるよう角に湾曲型の勾配を形成したガイドと、フレキシブルシートを挟んでケースの対向する内面に、ケースの底板から隙間を隔てて取り付けられた凸状部材のガイドからなり、フレキシブルシートの下部がケースの底の直角部で湾曲型のガイドに沿って下降し、凸状部材とケースの底板の開口以外の部分との間に、水平方向にガイド通路が案内するとなっている、ことを特徴とする請求項１から２の何れか１項に記載の虫取り器。
【請求項４】
ケースの外側面に、筒状のアダプターを外側面に沿って昇降を自在に装着した、ことを特徴とする請求項１〜３の何れか１に記載の虫取り器。
【手続補正書】
【提出日】令和1年5月1日(2019.5.1)
【手続補正１】
【補正対象書類名】図面
【補正対象項目名】図１
【補正方法】変更
【補正の内容】
【図１】
2020031626.tif 000010
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
内部に捕獲した虫の収容スペースが形成されたケースと、ケースの底板に形成された虫捕獲用の開口と、少なくとも一部がケース内に起立した姿勢で昇降自在に収容されたフレキシブルシートと、
フレキシブルシートをケースの外部から昇降させるため、フレキシブルシートの上部に接続された操作部と、操作部を操作してフレキシブルシートが下降されたとき、フレキシブルシートの下部によって開口を覆うように、下降するフレキシブルシートの下部を水平方向に転向させるガイドとを備え、更に下降され水平方向に転向されたフレキシブルシートの下部が開口を覆うとき、フレキシブルシートの下部の先端面と対向する開口の縁面、または、四方の縁面が上端より下端が突出するようにスロープ状に傾斜されている、ことを特徴とする虫取り器。
【請求項２】
前記ガイドが、フレキシブルシートの下部が下降し、ケースの底の直角部で水平方向に転向させるよう角に勾配を形成したガイドと、フレキシブルシートを挟んでケースの対向する内面に、ケースの底板から隙間を隔てて取り付けられた凸状部材のガイドからなり、
前記凸状部材とケースの底板の開口以外の部分との間が、下降されたフレキシブルシートの下部を水平方向に案内するガイド通路となっている、ことを特徴とする請求項１に記載の虫取り器。
【請求項３】
ケースの外側面に、筒状のアダプターを外側面に沿って昇降を自在に装着した、ことを特徴とする請求項１〜２の何れか１に記載の虫取り器。